(57)【要約】【課題】  １つのラックを組み立てるために用いるラック用フレームの種類を少なくできるラック用フレーム及びラックを提供する。【解決手段】  ６個の領域指示マーク１５Ａ〜１５Ｆを３０個の棚板取付孔１３の孔列に沿って等間隔をあけるようにラック用フレーム５Ａに形成する。３０個の棚板取付孔１３及び６個の領域指示マーク１５Ａ〜１５Ｆを、ラック用フレーム５Ａの長手方向の中心を通り且つ該長手方向と直交する仮想線Ｉを対称軸として線対称になるように形成する。６個の領域指示マーク１５Ａ〜１５Ｆは、対称軸となる仮想線Ｉから離れるに従って貫通孔の数が１つずつ減少するように形成する。【選択図】  図３
2011233771.tif 000002
【特許請求の範囲】
【請求項１】
孔列をなすように、予め定めた間隔をあけて形成された複数個の棚板取付孔と、
前記孔列に沿って形成されて前記複数個の棚板取付孔の形成領域を示す複数の領域指示マークとを備えたラック用フレームであって、
前記複数個の棚板取付孔及び前記複数の領域指示マークは、前記ラック用フレームの長手方向の中心を通り且つ前記長手方向と直交する仮想線を対称軸として線対称になるように形成されていることを特徴とするラック用フレーム。
【請求項２】
隣り合う２つ領域指示マークの間の領域に形成される前記棚板取付孔の数が等しくなるように前記複数の領域指示マークが形成されている請求項１に記載のラック用フレーム。
【請求項３】
前記領域指示マークは、１以上の貫通孔、突起または凹部から構成されている請求項１または２に記載のラック用フレーム。
【請求項４】
前記複数の領域指示マークは、前記対称軸から離れるに従って前記貫通孔、前記突起または前記凹部の数が増加または減少するように形成されている請求項３に記載のラック用フレーム。
【請求項５】
孔列をなすように、予め定めた間隔をあけて形成された複数個の棚板取付孔と、前記孔列に沿って形成されて前記複数個の棚板取付孔の形成領域を示す複数の領域指示マークとを備えた複数の縦フレームと、
前記複数の縦フレームの上端にそれぞれ連結される上側連結構造部と、
前記複数の縦フレームの下端にそれぞれ連結される下側連結構造部とを備えたラックであって、
前記複数個の棚板取付孔及び前記複数の領域指示マークは、前記縦フレームの長手方向の中心を通り且つ前記長手方向と直交する仮想線を対称軸として線対称になるように形成されていることを特徴とするラック。
【請求項６】
前記上側連結構造部及び前記下側連結構造部は、それぞれ前記縦フレームと直交する方向に延びる１以上の横フレームから構成されている請求項５に記載のラック。
【請求項７】
隣り合う２つ領域指示マークの間の領域に形成される前記棚板取付孔の数が等しくなるように前記複数の領域指示マークが形成されている請求項５に記載のラック。
【請求項８】
前記領域指示マークは、１以上の貫通孔、突起または凹部から構成されている請求項５または７に記載のラック。
【請求項９】
前記複数の領域指示マークは、前記対称軸から離れるに従って前記貫通孔、前記突起または前記凹部の数が増加または減少するように形成されている請求項８に記載のラック。
【発明の詳細な説明】
【技術分野】
【０００１】
本発明は、ラック用フレーム及びラックに関するものである。
【背景技術】
【０００２】
実願昭５６−０１９６２１号（実開昭５７−１３３３３３号）のマイクロフィルムには、棚板を取付ける取付具を嵌合できるように、孔列をなす複数個の棚板取付孔が形成された複数のラック用フレームが示されている。このラック用フレームでは、ラックを組み立てる際に、複数のラック用フレームの対応する棚板取付孔を一目で識別できるように、複数個の棚板取付孔の形成領域を示す複数の領域指示マークが孔列に沿って形成されている。複数の領域指示マークは、縦フレームの一端から他端に向って数が増加するように、点状の突起等により形成されている。このようなラックを組み立てる作業者は、複数のラック用フレームの同じ数の突起に隣接する棚板取付孔にそれぞれ棚板取付具を取り付けることにより、容易且つ正確に棚板取付具を取り付けることができる。
【先行技術文献】
【特許文献】
【０００３】
【特許文献１】実願昭５６−０１９６２１号（実開昭５７−１３３３３３号）のマイクロフィルム
【発明の概要】
【発明が解決しようとする課題】
【０００４】
しかしながら、従来のラック用フレーム及びラックでは、１つのラックを組み立てるために、複数種類のラック用フレームを用意しなければならなかった。例えば、ラック用フレームを４本使用するラックでは、対角に位置する２本のラック用フレームは、同種類のラック用フレームを用いることができるが、隣接する２本のラック用フレームは、上下方向が逆になるため、領域指示マークを合わせるには、異なるタイプのラック用フレームを用いなければならない。そのため、２種類以上のラック用フレームを用意する必要があった。
【０００５】
本発明の目的は、１つのラックを組み立てるために用いるラック用フレームの種類を少なくできるラック用フレーム及びラックを提供することにある。
【課題を解決するための手段】
【０００６】
本発明が改良の対象とするラック用フレームは、孔列をなすように、予め定めた間隔をあけて形成された複数個の棚板取付孔と、孔列に沿って形成されて複数個の棚板取付孔の形成領域を示す複数の領域指示マークとを備えている。本発明では、複数個の棚板取付孔及び複数の領域指示マークは、ラック用フレームの長手方向の中心を通り且つ長手方向と直交する仮想線を対称軸として線対称になるように形成されている。
【０００７】
本発明のようにラック用フレームを形成すると、ラック用フレームを縦フレームとして用いる場合には上下方向を逆にしても、またラック用フレームを横フレームとして用いる場合には左右方向を逆にしても複数個の棚板取付孔及び複数の領域指示マークの位置は同じになる。そのため、ラック用フレームを上下方向又は左右方向を逆にして使用することができ、１つのラックを組み立てるために用いるラック用フレームの種類を少なくできる。なおラック用フレームを横フレームとして用いる場合、棚板は仕切り板として機能することになる。
【０００８】
隣り合う２つ領域指示マークの間の領域に形成される棚板取付孔の数が等しくなるように複数の領域指示マークを形成することができる。このようにすれば、領域指示マークを基準にして棚板取付孔の数が上から何個目または下から何個目かを簡単に認識することが可能になる。
【０００９】
領域指示マークは、１以上の貫通孔、突起または凹部から構成することができる。このように領域指示マークを形成すれば、プレス等により、複数個の棚板取付孔と複数の領域指示マークとを１つの工程で同時に形成できる。
【００１０】
複数の領域指示マークは、対称軸から離れるに従って貫通孔、突起または凹部の数が増加または減少するように形成するのが好ましい。このようにすれば、ラックを組み立てる際に、複数のラック用フレームの対応する棚板取付孔を、領域支持マークを構成する貫通孔、突起または凹部の数に基づいて簡単に識別することができる。
【００１１】
本発明が改良の対象とするラックは、孔列をなすように、予め定めた間隔をあけて形成された複数個の棚板取付孔と、孔列に沿って形成されて複数個の棚板取付孔の形成領域を示す複数の領域指示マークとを備えた複数の縦フレームと、複数の縦フレームの上端にそれぞれ連結される上側連結構造部と、複数の縦フレームの下端にそれぞれ連結される下側連結構造部とを備えている。本発明では、複数個の棚板取付孔及び複数の領域指示マークは、縦フレームの長手方向の中心を通り且つ長手方向と直交する仮想線を対称軸として線対称になるように形成されている。
【００１２】
本発明のようにラックを形成すると、縦フレームの上下方向を逆にしても、複数個の棚板取付孔及び複数の領域指示マークの位置は変わらない。そのため、縦フレームを上下方向を逆にして使用することができ、１つのラックを組み立てるために用いる縦フレームの種類を少なくできる。例えば、縦フレームを４本使用するラックでは、隣接する２本のラック用フレームは、上下方向を逆に配置し、対角に位置する２本のラック用フレームは、同じ上下方向で配置すれば、１種類の縦フレームを用意するだけでよい。
【００１３】
上側連結構造部及び下側連結構造部の構造は任意であり、例えば、複数の横フレームの組合せにより構成して良いし、板材により一体に形成されたものでもよい。上側連結構造部及び下側連結構造部を、それぞれ縦フレームと直交する方向に延びる１以上の横フレームから構成すると、複数本の横フレームを組み合わせるだけで簡単に上側連結構造部及び下側連結構造部を形成できる。
【００１４】
なお本発明のラックの外側に外壁材料を固定して、筐体を構成してもよいのは勿論である。
【図面の簡単な説明】
【００１５】
【図１】本実施の形態のラックの斜視図である。
【図２】図１に示すラックの平面図である。
【図３】図１に示すラックに用いるラック用フレーム（縦フレーム）の斜視図である。
【発明を実施するための形態】
【００１６】
以下、図面を参照して本発明の実施の形態のラックを詳細に説明する。図１及び図２は、例えば無停電電源装置、直流電源装置等を搭載するラックに適用した本発明の実施の形態のラックの斜視図及び平面図である。両図に示すように、本実施の形態のラックは、上側連結構造部１と下側連結構造部３と縦フレームを構成する４本のラック用フレーム５Ａ〜５Ｄとを有している。図１に示すように、上側連結構造部１及び下側連結構造部３は、いずれも同じ構造を有しており、縦フレーム（ラック用フレーム５Ａ〜５Ｄ）と直交する方向に延びる一対の第１の横フレーム７と一対の第２の横フレーム９とが矩形に組み合わされて構成されている。一対の第１の横フレーム７及び一対の第２の横フレーム９は、鋼板を折り曲げ及びプレス加工して形成されている。そして、一対の第１の横フレーム７は及び一対の第２の横フレーム９は、それぞれ枠体を構成するように平行に並べて配置されている。
【００１７】
ラック用フレーム５Ａ〜５Ｄは、いずれも同じ構造を有しており、矩形の上側連結構造部１の４つの角部と矩形の下側連結構造部３の４つの角部とをそれぞれ連結している。上側連結構造部１は、ラック用フレーム５Ａ〜５Ｄの上端にそれぞれ連結され、下側連結構造部３は、ラック用フレーム５Ａ〜５Ｄの下端にそれぞれ連結される。図３の斜視図に示すラック用フレーム５Ａを代表例としてラック用フレーム５Ａ〜５Ｄの構造を説明すると、ラック用フレーム５Ａは、上下方向に延びる細長い形状を有している。そして、ラック用フレーム５Ａは、４つの連続する板状部５ｅ〜５ｈを備えるように、鋼板にプレス加工と曲げ加工とを施して形成されている。板状部５ｇには、４個の取付用貫通孔１１と３０個の棚板取付孔１３と６個の領域指示マーク１５Ａ〜１５Ｆとが形成されている。板状部５ｇに隣接する板状部５ｈには、４個の取付用貫通孔１７と３０個の装着板取付孔１９とが形成されている。板状部５ｇの４個の取付用貫通孔１１は、板状部５ｇの長手方向の両端部に２つずつ形成されており、板状部５ｈの４個の取付用貫通孔１７は、板状部５ｈの長手方向の両端部に２つずつ形成されている。図１に示すように、取付用貫通孔１１を貫通するリベット２１と、取付用貫通孔１７を貫通するリベット２３とにより、ラック用フレーム５Ａ〜５Ｄは上側連結構造部１及び下側連結構造部３に取り付けられている。また、板状部５ｈの装着板取付孔１９は、円形の貫通孔からなり、上下方向に延びる部品装着板を適宜に取り付けるために用いられる。
【００１８】
図３に示すように、板状部５ｇに形成された３０個の棚板取付孔１３は、孔列をなすように予め定めた等間隔をあけて形成されている。棚板取付孔１３は、図示しない棚板を取付ける取付具を嵌合できる矩形の貫通孔により形成されており、取付具を固定する役割を果たしている。６個の領域指示マーク１５Ａ〜１５Ｆは、３０個の棚板取付孔１３の孔列に沿って等しい間隔をあけて形成されている。これらの領域指示マーク１５Ａ〜１５Ｆは、３０個の棚板取付孔１３の形成領域を示す目印であり、３０個の棚板取付孔１３の板状部５ｆ側における隣接した位置に形成された所定の数の小さい貫通孔により構成されている。より具体的には、領域指示マーク１５Ａ〜１５Ｆは、上から３番目、８番目、１３番目、１８番目、２３番目、２８番目の棚板取付孔１３にそれぞれ隣接して形成されている。このため、隣り合う２つ領域指示マーク（１５Ａ〜１５Ｆ）の間の領域に形成される棚板取付孔１３の数は等しい数（４個）になっている。
【００１９】
そして本実施の形態では、領域指示マーク１５Ａ〜１５Ｆを構成する貫通孔の数は、順番に１個、２個、３個、３個、２個、１個となっている。このため、３０個の棚板取付孔１３及び６個の領域指示マーク１５Ａ〜１５Ｆは、ラック用フレーム５Ａの長手方向の中心を通り且つ該長手方向と直交する仮想線Ｉを対称軸として線対称になるように形成されている。そして、６個の領域指示マーク１５Ａ〜１５Ｆは、対称軸となる仮想線Ｉから離れるに従って貫通孔の数が１つずつ減少するように形成されている。４個の取付用貫通孔１１と３０個の棚板取付孔１３と６個の領域指示マーク１５Ａ〜１５Ｆと４個の取付用貫通孔１７と３０個の装着板取付孔１９とは、別々に形成してもよいし、プレス加工により同時に形成してもよい。
【００２０】
次に、４本のラック用フレーム５Ａ〜５Ｄが配置されている状態について説明する。図１及び図２に示すように、ラック用フレーム５Ａに隣接するラック用フレーム５Ｂ，５Ｄは、ラック用フレーム５Ａと上下方向を逆にして配置されている。ラック用フレーム５Ａと対角に位置するラック用フレーム５Ｃは、ラック用フレーム５Ａと同じ上下方向で配置されている。これにより、ラック用フレーム５Ａとラック用フレーム５Ｂは、棚板取付孔１３が形成された板状部５ｇが相互に対向するように配置され、ラック用フレーム５Ｃとラック用フレーム５Ｄは、棚板取付孔１３が形成された板状部５ｇが相互に対向するように配置されることになる。そして、４本のラック用フレーム５Ａ〜５Ｄの３０個の棚板取付孔１３及び６個の領域指示マーク１５Ａ〜１５Ｆの位置はいずれも同じになっている。ラックを組み立てる作業者は、４本のラック用フレーム５Ａ〜５Ｄの同じ数の貫通孔の領域指示マーク（１５Ａ〜１５Ｆ）の下または上に予め定めた数だけ離れた棚板取付孔１３にそれぞれ棚板取付具を取り付けることにより、容易且つ正確に棚板取付具を取り付けることができる。なお、本実施の形態の領域指示マーク１５Ａ〜１５Ｆは、標準的な使用における棚板取付位置に対応して設けられているが、ラックの用途に応じて所望の位置に領域指示マークを形成できるのは勿論である。
【００２１】
本実施の形態のラックによれば、隣接する２本のラック用フレーム（５Ａ，５Ｂ），（５Ｂ，５Ｃ），（５Ｃ，５Ｄ）は、上下方向を逆に配置し、対角に位置する２本のラック用フレーム（５Ａ，５Ｃ），（５Ｂ，５Ｄ）は、同じ上下方向で配置することにより、１種類の縦フレームを用意するだけでラックを形成できる。
【００２２】
上記実施の形態では、ラック用フレームを縦フレームとして用いたが、ラックが横に長い構造となる場合には、本発明のラック用フレームを横フレームとして用いてもよいのは勿論である。
【産業上の利用可能性】
【００２３】
本発明によれば、ラック用フレームを上下方向（または左右方向）を逆にしても、複数個の棚板取付孔及び複数の領域指示マークの位置は同じになる。そのため、ラック用フレームを上下方向（または左右方向）を逆にして使用することができ、１つのラックを組み立てるために用いるラック用フレームの種類を少なくできる。
【符号の説明】
【００２４】
１  上側連結構造部
３  下側連結構造部
５Ａ〜５Ｄ  ラック用フレーム
７  第１の横フレーム
９  第２の横フレーム
５ｅ〜５ｈ  板状部
１１  取付用貫通孔
１３  棚板取付孔
１５Ａ〜１５Ｆ  領域指示マーク
１７  取付用貫通孔
【図１】
2011233771.tif 000003
【図２】
2011233771.tif 000004
【図３】
2011233771.tif 000005